(57)【要約】【課題】収納状態から撮影状態に至る過程での、使用範囲よりも対物側へのレンズ群の移動を抑制して、光軸方向の外形寸法の増大を回避し、小型化する。【解決手段】レンズ鏡胴は、第１群レンズ系の収納状態から該第１群レンズ系を対物側に移動することにより撮影状態となる。ライナー枠３は、前記第１群レンズ系を保持する第１群保持枠１の回転を規制する。前記第１群保持枠１に係合する第１のカム面を有する回転筒４は、回動することにより前記第１群保持枠１を相対的に光軸方向に移動させる。固定枠７は、前記回転筒４に係合してその回動により該回転筒４を光軸方向に移動させる第２のカム面を有する。前記収納状態から前記撮影状態への前記回転筒４の回動によって、前記第１群保持枠１が撮影状態に達した位置にて前記回転筒４の回転による前記第１群保持枠１の光軸方向の移動が抑止される領域を含むべく前記第１および第２のカム面が形成される。【選択図】    図１
2004177812.tif 000002
【特許請求の範囲】
【請求項１】
レンズ群の収納状態から該レンズ群を対物側に移動することにより撮影状態となるレンズ鏡胴において、
前記レンズ群を保持するレンズ保持枠と、
前記レンズ保持枠の光軸を軸とする回転方向の移動を規制するライナー部材と、
前記レンズ保持枠に係合する第１のカム部を有し、光軸を軸として回動することにより前記レンズ保持枠を相対的に光軸方向に移動させる回転カム部材と、
前記回転カム部材を回動するカム駆動手段と、
前記回転カム部材に係合して前記回転カム部材の回動により該回転カム部材を光軸方向に移動させる第２のカム部を有し、固定して設けられる固定枠と
を具備し、
前記第１および第２のカム部は、前記収納状態から前記撮影状態への前記回転カム部材の回動によって、前記レンズ保持枠が対物方向に移動して撮影状態に達した位置にて前記回転カム部材の回動による前記レンズ保持枠の光軸方向の移動が抑止される領域を含むべく形成されたことを特徴とするレンズ鏡胴。
【請求項２】
前記第１および第２のカム部が、前記回転カム部材の回転による前記レンズ保持枠の前記回転カム部材に対する光軸方向の相対移動量の変曲位置と、前記回転カム部材の前記固定枠に対する光軸方向の移動量の変曲位置とを、前記固定枠に対する前記回転カム部材の回転位相における異なった位置とすべく形成されることを特徴とする請求項１に記載のレンズ鏡胴。
【請求項３】
前記第１および第２のカム部が、前記レンズ保持枠の前記回転カム部材に対する光軸方向の相対移動量の変曲位置と、前記回転カム部材の前記固定枠に対する光軸方向の移動量の変曲位置とを、前記レンズ保持枠の前記収納状態と前記撮影状態との間に位置させるべく形成されることを特徴とする請求項２に記載のレンズ鏡胴。
【請求項４】
前記レンズ保持枠が、前記撮影状態において、前記収納状態から前記撮影状態までの範囲における光軸方向についての最も対物側に位置することを特徴とする請求項１〜３のいずれか１項に記載のレンズ鏡胴。
【請求項５】
前記レンズ群により構成される光学系が、変倍光学系であることを特徴とする請求項１〜４のいずれか１項に記載のレンズ鏡胴。
【請求項６】
前記レンズ保持枠が前記収納状態から前記撮影状態に達した際の初期位置を、前記変倍光学系の最短焦点距離に対応させてなることを特徴とする請求項５に記載のレンズ鏡胴。
【請求項７】
前記レンズ保持枠が前記収納状態から前記撮影状態に達した際の初期位置を、前記変倍光学系の最長焦点距離に対応させてなることを特徴とする請求項５に記載のレンズ鏡胴。
【請求項８】
前記レンズ保持枠が前記収納状態から前記撮影状態に達した際の初期位置を、前記変倍光学系のマクロ状態に対応させてなることを特徴とする請求項５に記載のレンズ鏡胴。
【請求項９】
請求項１〜請求項８のうちのいずれか１項のレンズ鏡胴を有する撮影光学系を備えることを特徴とするディジタルカメラ。
【請求項１０】
請求項１〜請求項８のうちのいずれか１項のレンズ鏡胴を有する撮影光学系を備えることを特徴とする撮影装置。
【発明の詳細な説明】
【０００１】
【発明の属する技術分野】
本発明は、撮影に用いられる光学系に係り、特にレンズ群を収納状態から光軸方向に沿って対物側に移動することにより撮影状態とするレンズ鏡胴、並びに該レンズ鏡胴を用いるディジタルカメラ、さらには該レンズ鏡胴を用いる種々のカメラを含む撮影装置に関するものである。
【０００２】
【従来の技術】
カメラ等の撮影装置においては、撮影光学系等の光学系が光軸方向に大きな寸法を必要とするため、いわゆる沈胴方式のレンズ鏡胴のように、携帯時等の非撮影時には、光学系を構成するレンズ群を可能な限り像面側に近接させて配置することによって短小化するレンズ鏡胴が用いられることが少なくない。この場合、非撮影時に短小化されたレンズ鏡胴は、撮影装置のボディ内に収納され、あるいはボディからの突出寸法が最小となる。特に、被写体像を、例えばＣＣＤ（電荷結合素子）撮像素子等の固体撮像素子により撮像し、被写体の静止画像（スティル画像）または動画像（ムービー画像）の画像データを得て、半導体メモリ等を用いた記録媒体にディジタル的に記録するタイプのディジタルカメラにおいては、固体撮像素子の撮像面を小さくするなどして、比較的容易に小型化できるため、むしろ、一層、小型化への強い要求がある。
【０００３】
この種のレンズ鏡胴では、複数のレンズ群が存在する場合にはレンズ群間隔を狭めるなどして、レンズ群を可能な限り像面側に近接させた収納状態から、撮影時にのみレンズ群を光軸方向に沿って対物側に繰り出し移動させて所定の光軸方向の位置関係の撮影状態とする。光学系が変倍光学系である場合、撮影状態では、最短焦点距離の広角端、すなわちワイド端、から最長焦点距離の望遠端、すなわちテレ端までの範囲、場合によってはさらにマクロ領域をも含む範囲で変倍可能であるが、撮影状態の初期位置は、通常の場合、広角端、望遠端およびマクロ領域のいずれかに予め選定されている。
【特許文献１】
特許第３２９７６５８号公報
ところで、例えば、上記特許文献１に記載されているように、従来のレンズ鏡胴には、レンズ群およびその保持枠を含む光学ユニットを、収納位置から繰り出し移動させた後に繰り込み移動させて使用開始位置に至らせるとともに、前記使用開始位置から更に前記光学ユニットを繰り込み移動させて焦点距離変更動作を行わせるものがある。
【０００４】
【発明が解決しようとする課題】
上述した特許文献１に示されるように、光学ユニットを繰り出し移動させた後に繰り込み移動させて使用開始位置に至らせる場合には、光学ユニットを使用開始位置よりも対物側の位置まで一旦繰り出す必要がある。このため、光学ユニットの支持部材の光軸方向の長さをその分だけ長くする必要が生じ、光学ユニットを含む鏡胴全体の光軸方向についての外形寸法が増大してしまうことになる。
例えば、複数のレンズ群を含むレンズ鏡胴の場合における最も対物側の第１群レンズ系のレンズ保持枠である第１群保持枠の移動軌跡の一例を図４に示すように、第１群保持枠は、収納位置から撮影状態に至る際に、次第に繰り出され、最終的な撮影状態における位置を通り過ぎて、それよりも対物側の位置に一旦達し、その後に繰り戻されて最終的な撮影状態に達する。この第１群保持枠の移動軌跡は、回転操作される回転カム部材に設けられて前記第１群保持枠を移動させるための第１のカム面による前記回転カム部材に対する前記第１群保持枠の相対的な移動軌跡と、固定枠に設けられ前記回転カム部材を移動させるための第２のカム面による前記回転カム部材の移動軌跡とを加算的に合成したものである（すなわち、図４の第１群保持枠移動軌跡は上記特許文献１の図１６（ｄ）に、図４の第１のカム面変位量は上記特許文献１の図１６（ｂ）に、そして図４の第２のカム面変位量は前記特許文献１の図１６（ａ）にそれぞれ対応する）。
【０００５】
この特許文献１のような構成の場合、第１のカム面および第２のカム面の双方を、収納状態から撮影状態、この場合広角端、までの間に極大値を持つように構成することによって、第１群保持枠の繰り出し量を前記第１および第２のカム面に分散させ、前記回転カム部材および固定枠の光軸方向寸法を短縮化し、装置の小型化を実現するようにしている。
しかしながら、上述したように、光学ユニット、すなわちレンズ保持枠、を繰り出し移動させた後に繰り込み移動させて使用開始位置に至らせる場合には、前記レンズ保持枠を撮影状態における繰り出し量範囲よりもよりも対物側の図示ａの範囲だけ、撮影には直接必要のない繰り出しおよび繰り込み移動を行なうことになる。このため、レンズ保持枠の支持部材の光軸方向の長さをその分だけ長くする必要が生じ、鏡胴全体の光軸方向についての外形寸法が増大してしまう。
【０００６】
本発明は、上述した事情に鑑みてなされたもので、収納状態から撮影状態に至る過程での、使用範囲よりも対物側へのレンズ群の移動を抑制して、光軸方向についての外形寸法の増大を回避し、装置構成の小型化を可能とするレンズ鏡胴、ディジタルカメラおよび撮影装置を提供することを目的としている。
本発明の請求項１の目的は、特に、レンズ保持枠が収納状態から撮影状態に達するまでの間における撮影状態よりも像面方向への移動を抑止し、光軸方向のサイズを短縮し得るレンズ鏡胴を提供することにある。
本発明の請求項２の目的は、特に、カム部の移動量変曲位置における作動負荷の増大を効果的に抑制し、一層円滑な作動を可能とするレンズ鏡胴を提供することにある。
本発明の請求項３の目的は、特に、撮影状態近傍における一層円滑な作動を実現し得るレンズ鏡胴を提供することにある。
本発明の請求項４の目的は、特に、光軸方向サイズを有効に小型化することを可能とするレンズ鏡胴を提供することにある。
【０００７】
本発明の請求項５の目的は、特に、大きな光軸方向寸法を必要とする変倍光学系の有効な小型化を可能とするレンズ鏡胴を提供することにある。
本発明の請求項６の目的は、特に、前記収納状態から前記撮影状態に達した際の初期位置が前記変倍光学系の広角端である変倍光学系の有効な小型化を可能とするレンズ鏡胴を提供することにある。
本発明の請求項７の目的は、特に、前記収納状態から前記撮影状態に達した際の初期位置が前記変倍光学系の望遠端である変倍光学系の有効な小型化を可能とするレンズ鏡胴を提供することにある。
本発明の請求項８の目的は、特に、前記収納状態から前記撮影状態に達した際の初期位置が前記変倍光学系のマクロ領域である変倍光学系の有効な小型化を可能とするレンズ鏡胴を提供することにある。
本発明の請求項９の目的は、特に、撮影光学系のレンズ鏡胴に係る光軸方向寸法を効果的に短縮し、カメラ全体の外形の小型化を可能とするディジタルカメラを提供することにある。
本発明の請求項１０の目的は、特に、撮影光学系のレンズ鏡胴に係る光軸方向寸法を効果的に短縮し、装置全体の外形の小型化を可能とする撮影装置を提供することにある。
【０００８】
【課題を解決するための手段】
請求項１に記載した本発明に係るレンズ鏡胴は、上述した目的を達成するために、
レンズ群の収納状態から該レンズ群を対物側に移動することにより撮影状態となるレンズ鏡胴において、
前記レンズ群を保持するレンズ保持枠と、
前記レンズ保持枠の光軸を軸とする回転方向の移動を規制するライナー部材と、
前記レンズ保持枠に係合する第１のカム部を有し、光軸を軸として回動することにより前記レンズ保持枠を相対的に光軸方向に移動させる回転カム部材と、
前記回転カム部材を回動するカム駆動手段と、
前記回転カム部材に係合して前記回転カム部材の回動により該回転カム部材を光軸方向に移動させる第２のカム部を有し、固定して設けられる固定枠と
を具備し、
前記第１および第２のカム部は、前記収納状態から前記撮影状態への前記回転カム部材の回動によって、前記レンズ保持枠が対物方向に移動して撮影状態に達した位置にて前記回転カム部材の回動による前記レンズ保持枠の光軸方向の移動が抑止される領域を含むべく形成されたこと
を特徴としている。
【０００９】
請求項２に記載した本発明に係るレンズ鏡胴は、請求項１のレンズ鏡胴であって、前記第１および第２のカム部が、前記回転カム部材の回転による前記レンズ保持枠の前記回転カム部材に対する光軸方向の相対移動量の変曲位置と、前記回転カム部材の前記固定枠に対する光軸方向の移動量の変曲位置とを、前記固定枠に対する前記回転カム部材の回転位相における異なった位置とすべく形成されることを特徴としている。
請求項３に記載した本発明に係るレンズ鏡胴は、請求項２のレンズ鏡胴であって、前記第１および第２のカム部が、前記レンズ保持枠の前記回転カム部材に対する光軸方向の相対移動量の変曲位置と、前記回転カム部材の前記固定枠に対する光軸方向の移動量の変曲位置とを、前記レンズ保持枠の前記収納状態と前記撮影状態との間に位置させるべく形成されることを特徴としている。
【００１０】
請求項４に記載した本発明に係るレンズ鏡胴は、請求項１〜３のいずれか１項のレンズ鏡胴であって、前記レンズ保持枠が、前記撮影状態において、前記収納状態から前記撮影状態までの範囲における光軸方向についての最も対物側に位置することを特徴としている。
請求項５に記載した本発明に係るレンズ鏡胴は、請求項１〜４のいずれか１項のレンズ鏡胴であって、前記レンズ群により構成される光学系が、変倍光学系であることを特徴としている。
請求項６に記載した本発明に係るレンズ鏡胴は、請求項５のレンズ鏡胴であって、前記レンズ保持枠が、前記収納状態から前記撮影状態に達した際の初期位置を前記変倍光学系の最短焦点距離に対応させてなることを特徴としている。
請求項７に記載した本発明に係るレンズ鏡胴は、請求項５のレンズ鏡胴であって、前記レンズ保持枠が、前記収納状態から前記撮影状態に達した際の初期位置を前記変倍光学系の最長焦点距離に対応させてなることを特徴としている。
【００１１】
請求項８に記載した本発明に係るレンズ鏡胴は、請求項５のレンズ鏡胴であって、前記レンズ保持枠が、前記収納状態から前記撮影状態に達した際の初期位置を前記変倍光学系のマクロ状態に対応させてなることを特徴としている。
請求項９に記載した本発明に係るディジタルカメラは、請求項１〜請求項８のうちのいずれか１項のレンズ鏡胴を有する撮影光学系を備えることを特徴としている。
請求項１０に記載した本発明に係る撮影装置は、請求項１〜請求項８のうちのいずれか１項のレンズ鏡胴を有する撮影光学系を備えることを特徴としている。
【００１２】
【作  用】
すなわち、本発明の請求項１によるレンズ鏡胴は、レンズ群の収納状態から該レンズ群を対物側に移動することにより撮影状態となるレンズ鏡胴において、前記レンズ群を保持するレンズ保持枠と、前記レンズ保持枠の光軸を軸とする回転方向の移動を規制するライナー部材と、前記レンズ保持枠に係合する第１のカム部を有し、光軸を軸として回動することにより前記レンズ保持枠を相対的に光軸方向に移動させる回転カム部材と、前記回転カム部材を回動するカム駆動手段と、前記回転カム部材に係合して前記回転カム部材の回動により該回転カム部材を光軸方向に移動させる第２のカム部を有し、固定して設けられる固定枠とを具備し、前記第１および第２のカム部は、前記収納状態から前記撮影状態への前記回転カム部材の回動によって、前記レンズ保持枠が対物方向に移動して撮影状態に達した位置にて前記回転カム部材の回動による前記レンズ保持枠の光軸方向の移動が抑止される領域を含むべく形成される。
【００１３】
このような構成により、収納状態から撮影状態に至る過程での、使用範囲よりも対物側へのレンズ群の移動を抑制して、光軸方向についての外形寸法の増大を回避し、装置構成の小型化を可能とし、特に、レンズ保持枠が収納状態から撮影状態に達するまでの間における撮影状態よりも像面方向への移動を抑止し、光軸方向のサイズを短縮することを可能とする。これは図４に示した第１群保持枠移動軌跡における範囲ａに相当する部分について第１群保持枠の光軸方向の支持部が必要なくなるためである。
【００１４】
また、本発明の請求項２によるレンズ鏡胴は、請求項１のレンズ鏡胴であって、前記第１および第２のカム部が、前記回転カム部材の回転による前記レンズ保持枠の前記回転カム部材に対する光軸方向の相対移動量の変曲位置と、前記回転カム部材の前記固定枠に対する光軸方向の移動量の変曲位置とを、前記固定枠に対する前記回転カム部材の回転位相における異なった位置とすべく形成される。このような構成により、特に、カム部の移動量変曲位置における作動負荷の増大を効果的に抑制し、一層円滑な作動を可能とする。
本発明の請求項３によるレンズ鏡胴は、請求項２のレンズ鏡胴であって、前記第１および第２のカム部が、前記レンズ保持枠の前記回転カム部材に対する光軸方向の相対移動量の変曲位置と、前記回転カム部材の前記固定枠に対する光軸方向の移動量の変曲位置とを、前記レンズ保持枠の前記収納状態と前記撮影状態との間に位置させるべく形成される。
このような構成により、特に、撮影状態近傍における一層円滑な作動を実現することができる。
【００１５】
本発明の請求項４によるレンズ鏡胴は、請求項１〜３のいずれか１項のレンズ鏡胴であって、前記レンズ保持枠が、前記撮影状態において、前記収納状態から前記撮影状態までの範囲における光軸方向についての最も対物側に位置する。
このような構成により、特に、光軸方向サイズを有効に小型化することを可能とする。
本発明の請求項５によるレンズ鏡胴は、請求項１〜４のいずれか１項のレンズ鏡胴であって、前記レンズ群により構成される光学系が、変倍光学系である。
このような構成により、特に、大きな光軸方向寸法を必要とする変倍光学系の有効な小型化を可能とする。
本発明の請求項６によるレンズ鏡胴は、請求項５のレンズ鏡胴であって、前記レンズ保持枠が前記収納状態から前記撮影状態に達した際の初期位置を、前記変倍光学系の最短焦点距離に対応させてなる。
このような構成により、特に、前記収納状態から前記撮影状態に達した際の初期位置が前記変倍光学系の広角端である変倍光学系の有効な小型化を可能とする。
【００１６】
本発明の請求項７によるレンズ鏡胴は、請求項５のレンズ鏡胴であって、前記レンズ保持枠が前記収納状態から前記撮影状態に達した際の初期位置を、前記変倍光学系の最長焦点距離に対応させてなる。
このような構成により、特に、前記収納状態から前記撮影状態に達した際の初期位置が前記変倍光学系の望遠端である変倍光学系の有効な小型化を可能とする。本発明の請求項８によるレンズ鏡胴は、請求項５のレンズ鏡胴であって、前記レンズ保持枠が前記収納状態から前記撮影状態に達した際の初期位置を、前記変倍光学系のマクロ状態に対応させてなる。
このような構成により、特に、前記収納状態から前記撮影状態に達した際の初期位置が前記変倍光学系のマクロ領域である変倍光学系の有効な小型化を可能とする。
【００１７】
さらに、本発明の請求項９によるディジタルカメラは、請求項１〜請求項８のうちのいずれか１項のレンズ鏡胴を有する撮影光学系を備えてなる。
このような構成により、収納状態から撮影状態に至る過程での、使用範囲よりも対物側へのレンズ群の移動を抑制して、光軸方向についての外形寸法の増大を回避し、装置構成の小型化を可能とし、特に、撮影光学系のレンズ鏡胴に係る光軸方向寸法を効果的に短縮して、カメラ全体の外形の小型化を可能とする。
また、本発明の請求項１０による撮影装置は、請求項１〜請求項８のうちのいずれか１項のレンズ鏡胴を有する撮影光学系を備えてなる。
このような構成により、収納状態から撮影状態に至る過程での、使用範囲よりも対物側へのレンズ群の移動を抑制して、光軸方向についての外形寸法の増大を回避し、装置構成の小型化を可能とし、特に、撮影光学系のレンズ鏡胴に係る光軸方向寸法を効果的に短縮し、装置全体の外形の小型化を可能とする。
【００１８】
【発明の実施の形態】
以下、本発明の実施の形態に基づき、図面を参照して本発明のレンズ鏡胴、ディジタルカメラおよび撮影装置を詳細に説明する。
図１および図２は、本発明の一つの実施の形態に係るレンズ鏡胴の要部の構成を示している。図１は、レンズ鏡胴の詳細な構成を模式的に示す分解斜視図、そして図２は、組み立てられた状態のレンズ鏡胴の外観構成を模式的に示す斜視図である。
図１および図２に示すレンズ鏡胴は、この場合ズーム変倍光学系を備えるズームレンズ鏡胴として構成され、第１群保持枠１、第１群カムフォロワ２、ライナー枠３、回転筒４、第２群保持枠５、第２群カムフォロワ６、固定枠７、キー溝部８、回転筒カムフォロワ９、ズームモータ１０、ズームギヤ１１、ベース１２、ＣＣＤ（電荷結合素子）撮像素子１３、フォーカスモータ１４、フォーカスギヤ１５、第３群保持枠１６、リードスクリュー１７、シャッタユニット１８、ズームモータ押え１９、ズームギヤ押え２０、ＣＣＤ押え２１、フォーカスギヤ押え２２、および回転筒カバー２３を具備している。
【００１９】
第１群保持枠１、第２群保持枠５および第３群保持枠１６は、それぞれ第１群レンズ系、第２群レンズ系、および第３群レンズ系を保持するレンズ保持枠である。第１群カムフォロワ２は、第１群保持枠１の外周面に突設され、ライナー部材としてのライナー枠３の光軸方向に沿うスリット状のライナー部を貫通し、回転カム部材としての回転筒４の内周面に形成された第１のカム部である第１のカム面（図示されていない）に係合している。回転筒カムフォロワ９は、回転筒４の外周面に突設され、固定枠７の内周面に形成された第２のカム部である第２のカム面（図示されていない）に係合している。第２群カムフォロワ６は、第２群保持枠５の外周面に突設され、ライナー枠３の第１群カムフォロワ２に係合するものとは別に形成された光軸方向に沿うスリット状のライナー部を貫通し、回転筒４の内周面に第１のカム面とは別途に形成された第３のカム面（図示されていない）に係合している。
【００２０】
第１群レンズ系を保持する第１群保持枠１は、第１群カムフォロワ２がライナー枠３の対応するライナー部に貫通係合しさらに回転筒４の第１のカム面に係合することによって、ライナー枠３に対する回転筒４の回転動作により光軸方向に沿い且つ第１のカム面に従って移動可能に保持されている。第２群レンズ系を保持する第２群保持枠５は、第２群カムフォロワ２がライナー枠３の対応するライナー部に貫通係合しさらに回転筒４の第３のカム面に係合することによって、ライナー枠３に対する回転筒４の回転動作により光軸方向に沿い且つ第３のカム面に従って移動可能に保持されている。
ライナー枠３は、回転筒４の内側に嵌挿され、光軸を軸として相対的に回転可能に該回転筒４を保持するとともに、該回転筒４により光軸方向についての相対移動が規制されている。このライナー枠３は、一端に形成されたフランジ状部分の外周縁の突起により、回転筒４のさらに外周に設けられる固定枠７の内周面のキー溝部８に係合して光軸を軸とする回転が規制されている。回転筒４は、回転筒カムフォロワ９が固定枠７の内周面の第２のカム面に係合しており、カム駆動手段としてのズームモータ１０およびその駆動伝達手段としてのズームギヤ１１によって、光軸を軸として回転駆動されると、前記第２のカム面に従って光軸方向に移動する。
【００２１】
ベース１２は、固定枠７、ズームモータ１０、ズームギヤ１１、ＣＣＤ撮像素子１３、フォーカスモータ１４、フォーカスギヤ１５およびリードスクリュー１７を保持するとともに、第３群保持枠１６を光軸方向に移動可能として保持している。ズームモータ１０は、ズームモータ押え１９により、ズームギヤ１１はズームギヤ押え２０により、そしてフォーカスギヤ１５はフォーカスギヤ押え２２により、それぞれベース１２に取り付けられている。第３群保持枠１６は、フォーカスモータ１４により、フォーカスギヤ１５を介してリードスクリュー１７を回転させることによって、光軸方向に移動する。なお、回転筒カバー２３は、回転筒４の対物側端面を覆う。
収納状態から撮影状態への動作と、撮影状態におけるズーム変倍動作は、固定枠７に対する回転筒４の回動による光軸方向の移動と、回転筒４のライナー枠３に対する回動による第１群保持枠１および第２群保持枠５の回転等４に対する光軸方向の相対移動の合成によるＣＣＤ撮像素子１３に対する第１群保持枠１および第２群保持枠５の絶対位置の移動により行なわれる。
【００２２】
また、合焦動作は、フォーカスモータ１４により、フォーカスギヤ１５およびリードスクリュー１７を介しての第３群保持枠１６の光軸方向の移動により行なわれる。
図３は、回転筒４の回転量に対する固定枠７に設けられた第２のカム面の光軸方向の変位量および回転筒４に設けられた第１のカム面の光軸方向の変位量、並びにそれらによる第１群保持枠１の光軸方向の移動軌跡を示している。収納状態から撮影状態までの間における第１のカム面と第２のカム面の移動量変曲位置は回転筒４の異なる回転位相に位置している。また、第１群保持枠１は、第１のカム面と第２のカム面の変位量の合成による移動軌跡を示しており、光軸方向について最も対物側に突出した位置に回転筒４の回転に対して光軸方向に移動しない領域ｂを有している。この領域ｂに、撮影状態の範囲における短焦点端が位置している。
【００２３】
したがって、レンズ保持枠である第１群保持枠１の収納状態から撮影状態への移動の際に、第１群保持枠１が対物方向に移動し撮影状態に達した位置においてカム回転部材である回転筒４の回転に伴う第１群保持枠１の光軸方向の移動を抑制した領域を設けることにより、第１群保持枠１が撮影状態に達するまでの間にさらに像面方向への移動を行わないようにしている。このようにすることにより、図４に示した従来技術における範囲ａの光軸方向の移動を行なわせるための部分の支持部材が不要となり、レンズ鏡胴の光軸方向のサイズを短縮することが可能となる。
【００２４】
【発明の効果】
以上述べたように、本発明によれば、収納状態から撮影状態に至る過程での、使用範囲よりも対物側へのレンズ群の移動を抑制して、光軸方向についての外形寸法の増大を回避し、装置構成の小型化を可能とするレンズ鏡胴、ディジタルカメラおよび撮影装置を提供することができる。
すなわち本発明の請求項１のレンズ鏡胴によれば、レンズ群の収納状態から該レンズ群を対物側に移動することにより撮影状態となるレンズ鏡胴において、前記レンズ群を保持するレンズ保持枠と、前記レンズ保持枠の光軸を軸とする回転方向の移動を規制するライナー部材と、前記レンズ保持枠に係合する第１のカム部を有し、光軸を軸として回動することにより前記レンズ保持枠を相対的に光軸方向に移動させる回転カム部材と、前記回転カム部材を回動するカム駆動手段と、前記回転カム部材に係合して前記回転カム部材の回動により該回転カム部材を光軸方向に移動させる第２のカム部を有し、固定して設けられる固定枠とを具備し、前記第１および第２のカム部は、前記収納状態から前記撮影状態への前記回転カム部材の回動によって、前記レンズ保持枠が対物方向に移動して撮影状態に達した位置にて前記回転カム部材の回動による前記レンズ保持枠の光軸方向の移動が抑止される領域を含むべく形成されることにより、収納状態から撮影状態に至る過程での、使用範囲よりも対物側へのレンズ群の移動が抑制されて、光軸方向についての外形寸法の増大が回避され、装置構成の小型化が可能となり、特に、レンズ保持枠が収納状態から撮影状態に達するまでの間における撮影状態よりも像面方向への移動が抑止され、光軸方向のサイズを短縮することが可能となる。
【００２５】
また、本発明の請求項２のレンズ鏡胴によれば、請求項１のレンズ鏡胴において、前記第１および第２のカム部が、前記回転カム部材の回転による前記レンズ保持枠の前記回転カム部材に対する光軸方向の相対移動量の変曲位置と、前記回転カム部材の前記固定枠に対する光軸方向の移動量の変曲位置とを、前記固定枠に対する前記回転カム部材の回転位相における異なった位置とすべく形成されることにより、特に、カム部の移動量変曲位置における作動負荷の増大が効果的に抑制され、一層円滑な作動が可能となる。
本発明の請求項３のレンズ鏡胴によれば、請求項２のレンズ鏡胴において、前記第１および第２のカム部が、前記レンズ保持枠の前記回転カム部材に対する光軸方向の相対移動量の変曲位置と、前記回転カム部材の前記固定枠に対する光軸方向の移動量の変曲位置とを、前記レンズ保持枠の前記収納状態と前記撮影状態との間に位置させるべく形成されることにより、特に、撮影状態近傍における一層円滑な作動を実現することができる。
【００２６】
本発明の請求項４のレンズ鏡胴によれば、請求項１〜３のいずれか１項のレンズ鏡胴において、前記レンズ保持枠が、前記撮影状態において、前記収納状態から前記撮影状態までの範囲における光軸方向についての最も対物側に位置することにより、特に、光軸方向サイズを有効に小型化することが可能となる。
本発明の請求項５のレンズ鏡胴によれば、請求項１〜４のいずれか１項のレンズ鏡胴において、前記レンズ群により構成される光学系が、変倍光学系であることにより、特に、大きな光軸方向寸法を必要とする変倍光学系の有効な小型化が可能となる。
本発明の請求項６のレンズ鏡胴によれば、請求項５のレンズ鏡胴において、前記レンズ保持枠が前記収納状態から前記撮影状態に達した際の初期位置を、前記変倍光学系の最短焦点距離に対応させてなる構成により、特に、前記収納状態から前記撮影状態に達した際の初期位置が前記変倍光学系の広角端である変倍光学系の有効な小型化が可能となる。
【００２７】
本発明の請求項７のレンズ鏡胴によれば、請求項５のレンズ鏡胴において、前記レンズ保持枠が前記収納状態から前記撮影状態に達した際の初期位置を、前記変倍光学系の最長焦点距離に対応させてなる構成により、特に、前記収納状態から前記撮影状態に達した際の初期位置が前記変倍光学系の望遠端である変倍光学系の有効な小型化が可能となる。
本発明の請求項８のレンズ鏡胴によれば、請求項５のレンズ鏡胴において、前記レンズ保持枠が前記収納状態から前記撮影状態に達した際の初期位置を、前記変倍光学系のマクロ状態に対応させてなる構成により、特に、前記収納状態から前記撮影状態に達した際の初期位置が前記変倍光学系のマクロ領域である変倍光学系の有効な小型化が可能となる。
【００２８】
発明の請求項９のディジタルカメラによれば、請求項１〜請求項８のうちのいずれか１項のレンズ鏡胴を有する撮影光学系を備えてなる構成により、収納状態から撮影状態に至る過程での、使用範囲よりも対物側へのレンズ群の移動が抑制されて、光軸方向についての外形寸法の増大が回避され、装置構成の小型化が可能となり、特に、撮影光学系のレンズ鏡胴に係る光軸方向寸法を効果的に短縮して、カメラ全体の外形の小型化が可能となる。
本発明の請求項１０の撮影装置によれば、請求項１〜請求項８のうちのいずれか１項のレンズ鏡胴を有する撮影光学系を備えてなる構成により、収納状態から撮影状態に至る過程での、使用範囲よりも対物側へのレンズ群の移動が抑制されて、光軸方向についての外形寸法の増大が回避され、装置構成の小型化が可能となり、特に、撮影光学系のレンズ鏡胴に係る光軸方向寸法を効果的に短縮し、装置全体の外形の小型化が可能となる。
【図面の簡単な説明】
【図１】本発明の一つの実施の形態に係るレンズ鏡胴の要部の構成を模式的に示す分解斜視図である。
【図２】図１のレンズ鏡胴の組み立て状態での外観構成を模式的に示す斜視図である。
【図３】図１のレンズ鏡胴における第１群レンズ系を保持する第１群保持枠の移動軌跡、並びに第１群保持枠を移動させるための第１および第２のカム面の光軸方向についての変位量曲線を示す図である。
【図４】従来のレンズ鏡胴における第１群レンズ系を保持する第１群保持枠の移動軌跡、並びに第１群保持枠を移動させるための第１および第２のカム面の光軸方向についての変位量曲線を示す図である。
【符号の説明】
１  第１群保持枠
２  第１群カムフォロワ
３  ライナー枠
４  回転筒
５  第２群保持枠
６  第２群カムフォロワ
７  固定枠
８  キー溝部
９  回転筒カムフォロワ
１０  ズームモータ
１１  ズームギヤ
１２  ベース
１３  ＣＣＤ（電荷結合素子）撮像素子
１４  フォーカスモータ
１５  フォーカスギヤ
１６  第３群保持枠
１７  リードスクリュー
１８  シャッタユニット
１９  ズームモータ押え
２０  ズームギヤ押え
２１  ＣＣＤ押え
２２  フォーカスギヤ押え
２３  回転筒カバー
【図１】
2004177812.tif 000003
【図２】
2004177812.tif 000004
【図３】
2004177812.tif 000005
【図４】
2004177812.tif 000006